(57)【要約】【課題】使用開始から使用終了まで、継続的に安定した香りの強さを発現させることのできる家庭用薄葉紙収納容器を提供する。【解決手段】上部に開口部１０ａが設けられ、家庭用薄葉紙Ｐを内部に収納する容器本体１０と、開口部１０ａを開閉させる蓋部２０と、を備える家庭用薄葉紙収納容器１００であって、容器本体１０の前面部１０ｂ及び後面部１０ｃの内面には、２枚のシート材（第１シート材３０ａ及び第２シート材３０ｂ）が剥離可能に積層された芳香シート４０が備えられ、２枚のシート材の各々は、香料を揮散させる芳香フィルム層と、芳香フィルム層の表面側において芳香フィルム層の香料を透過させる表面フィルム層と、芳香フィルム層の裏面側に配される剥離フィルム層と、を備える。【選択図】図３
2015067316.tif 000002
【特許請求の範囲】
【請求項１】
上部に開口部が設けられ、家庭用薄葉紙を内部に収納する容器本体と、前記開口部を開閉させる蓋部と、を備える家庭用薄葉紙収納容器であって、
前記容器本体及び前記蓋部の内面の少なくとも一箇所には、複数枚のシート材が剥離可能に積層されたシート部が備えられ、
前記複数枚のシート材の各々は、
香料を揮散させる芳香フィルム層と、
前記芳香フィルム層の表面側に配され、前記芳香フィルム層の香料を透過させる表面フィルム層と、
前記芳香フィルム層の裏面側に配される剥離フィルム層と、
を備えることを特徴とする家庭用薄葉紙収納容器。
【請求項２】
前記シート部は、前記容器本体及び前記蓋部の内面の対向する二箇所に備えられていることを特徴とする請求項１に記載の家庭用薄葉紙収納容器。
【請求項３】
前記家庭用薄葉紙には、水分が含有され、
前記芳香フィルム層における香料は、水分と反応して溶解する物質にて包括されていることを特徴とする請求項１又は２に記載の家庭用薄葉紙収納容器。
【請求項４】
前記複数枚のシート材の各々に備えられた前記芳香フィルム層のうち少なくとも一つは、他の前記芳香フィルム層と異なる香料が付与されていることを特徴とする請求項１〜３の何れか一項に記載の家庭用薄葉紙収納容器。
【請求項５】
前記表面フィルム層は、基材に複数の細孔が形成されて成ることを特徴とする請求項１〜４の何れか一項に記載の家庭用薄葉紙収納容器。
【請求項６】
家庭用薄葉紙を内部に収納する家庭用薄葉紙収納容器の内面に貼り付けられる芳香シートであって、
複数枚のシート材が剥離可能に積層され、
前記複数枚のシート材の各々は、
香料を揮散させる芳香フィルム層と、
前記芳香フィルム層の表面側に配され、前記芳香フィルム層の香料を透過させる表面フィルム層と、
前記芳香フィルム層の裏面側に配される剥離フィルム層と、
を備えることを特徴とする芳香シート。
【発明の詳細な説明】
【技術分野】
【０００１】
本発明は、家庭用薄葉紙収納容器及び家庭用薄葉紙収納容器用の芳香シートに関する。
【背景技術】
【０００２】
従来、トイレの壁や床及び便器等のトイレ空間の拭き掃除に用いられるトイレクリーナー等の家庭用薄葉紙を収納する家庭用薄葉紙収納容器が知られている。家庭用薄葉紙収納容器は、家庭用薄葉紙を収納する容器本体と、容器本体の開口部を塞ぐための蓋部とを備え、当該蓋部を開けることにより、収納されている家庭用薄葉紙を容器本体の開口部から取り出すことができるようになっている（例えば、特許文献１参照）。
ところで、近年、家庭用薄葉紙が香りを発するようにした製品が普及している。香り付き家庭用薄葉紙は、継続的にほのかに香るものが使用者に好まれる傾向にあり、使用開始から使用終了まで安定して香りが発せられるものが求められている。
【先行技術文献】
【特許文献】
【０００３】
【特許文献１】特開２００７−１１２４５７号公報
【発明の概要】
【発明が解決しようとする課題】
【０００４】
しかしながら、特許文献１の家庭用薄葉紙収納容器では、香りを発する家庭用薄葉紙を収納している場合、蓋部を何度も開閉することで香料が蒸散し、香りが徐々に薄まってしまうという問題があった。
【０００５】
本発明の目的は、使用開始から使用終了まで継続的に安定した香りの強さを発現させることのできる家庭用薄葉紙収納容器及び家庭用薄葉紙収納容器用の芳香シートを提供することである。
【課題を解決するための手段】
【０００６】
以上の課題を解決するため、
請求項１に記載の発明は、
上部に開口部が設けられ、家庭用薄葉紙を内部に収納する容器本体と、前記開口部を開閉させる蓋部と、を備える家庭用薄葉紙収納容器であって、
前記容器本体及び前記蓋部の内面の少なくとも一箇所には、複数枚のシート材が剥離可能に積層されたシート部が備えられ、
前記複数枚のシート材の各々は、
香料を揮散させる芳香フィルム層と、
前記芳香フィルム層の表面側に配され、前記芳香フィルム層の香料を透過させる表面フィルム層と、
前記芳香フィルム層の裏面側に配される剥離フィルム層と、
を備えることを特徴とする。
【０００７】
また、請求項２に記載の発明は、請求項１に記載の家庭用薄葉紙収納容器において、
前記シート部は、前記容器本体及び前記蓋部の内面の対向する二箇所に備えられていることを特徴とする。
【０００８】
また、請求項３に記載の発明は、請求項１又は２に記載の家庭用薄葉紙収納容器において、
前記家庭用薄葉紙には、水分が含有され、
前記芳香フィルム層における香料は、水分と反応して溶解する物質にて包括されていることを特徴とする。
【０００９】
また、請求項４に記載の発明は、請求項１〜３の何れか一項に記載の家庭用薄葉紙収納容器において、
前記複数枚のシート材の各々に備えられた前記芳香フィルム層のうち少なくとも一つは、他の前記芳香フィルム層と異なる香料が付与されていることを特徴とする。
【００１０】
また、請求項５に記載の発明は、請求項１〜４の何れか一項に記載の家庭用薄葉紙収納箱において、
前記表面フィルム層は、基材に複数の細孔が形成されて成ることを特徴とする。
【００１１】
また、請求項６に記載の発明は、
家庭用薄葉紙を内部に収納する家庭用薄葉紙収納容器の内面に貼り付けられる芳香シートであって、
複数枚のシート材が剥離可能に積層され、
前記複数枚のシート材の各々は、
香料を揮散させる芳香フィルム層と、
前記芳香フィルム層の表面側に配され、前記芳香フィルム層の香料を透過させる表面フィルム層と、
前記芳香フィルム層の裏面側に配される剥離フィルム層と、
を備えることを特徴とする。
【発明の効果】
【００１２】
本発明によれば、使用開始から使用終了まで継続的に安定した香りの強さを発現させることのできる家庭用薄葉紙収納容器及び家庭用薄葉紙収納容器用の芳香シートを提供することができる。
【図面の簡単な説明】
【００１３】
【図１】本発明の一実施形態に係る家庭用薄葉紙収納容器の斜視図である。
【図２】図１の家庭用薄葉紙収納容器の蓋部が開けられた状態を示す斜視図である。
【図３】図２のIII-III線における断面図である。
【図４】シート部の拡大断面図である。
【図５】シート部の使用方法を説明するための図である。
【発明を実施するための形態】
【００１４】
以下、図を参照して、本発明の実施の形態を詳細に説明する。ただし、発明の範囲は、図示例に限定されない。
【００１５】
図１に示すように、本実施形態における家庭用薄葉紙収納容器１００は、容器本体１０に対し蓋部２０が閉じられた状態で、内部にウェットシートやウェットティッシュなどのウェットタイプの家庭用薄葉紙Ｐ（図３参照）を収容する筐体状の容器である。
容器本体１０と蓋部２０としては、例えば、ＰＰ（ポリプロピレン）、ＰＥ（ポリエチレン）、ＰＥＴ（ポリエチレンテレフタレート）、ＡＢＳ（アクリロニトリル・ブタジエン・スチレン）、ＰＰとＰＥの混合体などの樹脂が用いられ、ブロー成形、射出成形（コールドランナー、ホットランナー）など一般的な製造方法によって成形される。
【００１６】
図２に示すように、容器本体１０は、上部に開口部１０ａが設けられ、前面部１０ｂ、後面部１０ｃ、一対の側面部１０ｄ，１０ｄ、及び底部１０ｅを備えている。そして、前面部１０ｂと後面部１０ｃ、一対の側面部１０ｄ，１０ｄが、それぞれ対向するように配置され、これらが形成する矩形の筒体の一端面を塞ぐように底部１０ｅが配置され、家庭用薄葉紙Ｐを収納するための空間が形成されている。
【００１７】
図３に示すように、蓋部２０は、容器本体１０の後面部１０ｃ側に回動可能に備えられ、開口部１０ａを開閉させる。
具体的に、容器本体１０の後面部１０ｃの開口部１０ａ近傍には、容器ヒンジ部１１が形成されており、蓋部２０の後面側には、蓋ヒンジ部２１が形成されている。
この容器ヒンジ部１１の軸穴（図示省略）に蓋ヒンジ部２１の軸突起（図示省略）を係入して、容器ヒンジ部１１と蓋ヒンジ部２１とを取り付けることによって、容器ヒンジ部１１と蓋ヒンジ部２１とが連結されてなるヒンジ機構部Ｈが構成される。そして、このヒンジ機構部Ｈを介して、蓋部２０が容器本体１０に対して回動可能に軸支されている。
【００１８】
また、蓋ヒンジ部２１には、ねじりコイルばね（図示省略）が装着されている。ねじりコイルばねは、蓋部２０を容器本体１０から離間させる方向に付勢しており、ねじりコイルばねによって、蓋部２０がヒンジ機構部Ｈの軸心周りに回動するように押し上げられることで、蓋部２０が開くようになっている。反対に、ねじりコイルばねの付勢力に抗して、蓋部２０をヒンジ機構部Ｈの軸心周りに回動するように押さえ付けることで、蓋部２０が閉じるようになっている。
【００１９】
また、容器本体１０の開口部１０ａの周縁部には、蓋部２０が閉じられた際に、蓋部２０の周縁部２２が嵌入する溝部１２が形成されている。また、容器本体１０の前面部１０ｂの開口部１０ａ近傍には、係合部１３が形成されており、蓋部２０の前面側には、係合部１３と係合可能な係止部２３が形成されている。
そして、蓋部２０を閉動作させ、蓋部２０の周縁部２２を溝部１２に嵌入させて、容器本体１０側の係合部１３（図２参照）と蓋部２０側の係止部２３（図２参照）とを係合させることにより、蓋部２０によって開口部１０ａが塞がれた状態で、蓋部２０が容器本体１０側に保持されるようになっている。
【００２０】
また、容器本体１０の前面部１０ｂの外面側であって開口部１０ａ近傍には、前方に突出する挟持部１４が備えられており、挟持部１４には、係合解除部材１５がその配置を変更可能に軸支されて配設されている。係合解除部材１５と挟持部１４とを挟持すると、係合解除部材１５の一端部が挟持部１４に近接する方向に揺動する。すると、係合解除部材１５の他端部が蓋部２０の押上突起２４を押し上げて、係止部２３と係合部１３の係合が解除されることとなる。これにより、蓋部２０がねじりコイルばねの付勢力によって押し上げられて開動作し、蓋部２０が開くようになっている。
【００２１】
また、容器本体１０の底部１０ｅは、容器本体１０の前面部１０ｂ側から後面部１０ｃ側に向かって下方に傾斜しており、その底部１０ｅには、左右方向に延在する複数の突部１０ｆが平行に形成されている。
底部１０ｅの傾斜角度は、１０°〜２０°程度が好ましい。また、突部１０ｆは、１〜４ｍｍ程度の高さを有する突状体であり、前後方向に５〜１５ｍｍの間隔で形成されている。
このように、容器本体１０の底部１０ｅが、容器本体１０の前面部１０ｂ側から後面部１０ｃ側に向かって下方に傾斜するように形成されるとともに、底部１０ｅに左右方向の突部１０ｆが複数形成されることで、容器本体１０の内部に前後方向に積層されるように収納された家庭用薄葉紙Ｐが、載置面である底部１０ｅの傾斜に沿って、容器本体１０の後面部１０ｃに寄り掛かるように斜めに収納されるようになっている。
【００２２】
また、容器本体１０の前面部１０ｂの内面側、及び後面部１０ｃの内面側には、それぞれ、シート部としての芳香シート４０，４０が備えられている。
芳香シート４０は、所定の大きさの矩形状を呈し、容器本体１０の前面部１０ｂの内面側及び後面部１０ｃの内面側に貼着されている。なお、芳香シート４０は、必ずしも矩形である必要はなく、例えば、楕円形等の形状に形成しても良いのは勿論である。
【００２３】
以下、芳香シート４０の構成について詳細に説明する。
芳香シート４０は、複数枚のシート材３０・・・が積層されて構成されている。
ここでは、図４に示すように、芳香シート４０として、２枚のシート材（第１シート材３０ａ、第２シート材３０ｂ）が積層された構成を例示する。また、第１シート材３０ａが表面側に位置していることとする。
【００２４】
第１シート材３０ａは、表面フィルム層３１、芳香フィルム層３２、及び剥離フィルム層３３が、接着されて一体化された構成である。
なお、第１シート材３０ａは、表面フィルム層３１が、容器本体１０の内部の家庭用薄葉紙Ｐに対向し、剥離フィルム層３３が、第２シート材３０ｂに対向するように配されている。
【００２５】
表面フィルム層３１は、例えば、ポリエチレン、ポリスチレン、ポリプロピレン、ポリカーボネート等の樹脂からなる基材３１１に、複数の孔部３１２が形成された構成である。
【００２６】
芳香フィルム層３２は、例えば、スチレンブロックとジエンブロックを有するゴム質ブロック共重合体などの樹脂からなる基材に、任意の香料が付与された構成である。
【００２７】
香料は、既知の香料を用いることができ、特に限定されるものではないが、例えば、リュウゼン香、安息香、海狸香、霊猫香、丁字油、ガルバナム、ジャスミンアブソリュート、ラブタナム、マテ茶、メリロット、ミモザ、ムスクトンキン、ミルラ、オークモスまたはモスドシェーヌ、乳香、ビャクシ香、オリス、バチュリ、ローズマリー油、白檀油、ベチバー油、バイオレットリーフアブソリュートなどの天然香料、高級アルコール、アルデヒド、ベンズアルデヒド、安息香酸、ケイ皮酸、ケイ皮アルデヒド、ケイ皮アルコール、クマリン、エステル、インドール、ケトン、サリチル酸と関連化合物、テルペノイド、バニリンなどの各種の合成香料あるいはこれらの２つ以上の混合物を上げることができる。市販品を使用することもできる。
【００２８】
このような香料は、例えば液体状とされて基材に塗布される。香料を基材に塗布する方法としては、ロールコート、グラビア印刷、スキージコート、スプレイ等により行うことができる。
また、このような香料を、例えば、シクロデキストリンに包接させて保護し、家庭用薄葉紙Ｐから蒸発する水分と反応させてシクロデキストリンに包接された香料が徐々に放出する構成とすることも好ましい。
なお、シクロデキストリンの他、オブラート、ＰＶＡシート、カプセル等の水分に反応する物質を用いることができる。
【００２９】
剥離フィルム層３３は、ポリエチレンテレフタレート、ポリ塩化ビニリデンなどの樹脂からなる基材に、例えば、天然ゴム系粘着剤、天然ゴムラッテクス系粘着剤、アクリル系粘着剤、ホットメルト粘着剤等の粘着材や、ポリエステル系接着剤等の接着剤を用いた接着面を形成した構成である。
【００３０】
このような第１シート材３０ａは、芳香フィルム層３２に付与された香料が、表面フィルム層３１の複数の孔部３１２から徐々に放出されるようになっている。
また、第１シート材３０ａは、剥離フィルム層３３により、第２シート材３０ｂに対して剥離可能に貼着される。
【００３１】
また、第２シート材３０ｂも、第１シート材３０ａと同様に、表面フィルム層３１、芳香フィルム層３２、及び剥離フィルム層３３が、接着されて一体化された構成である。
なお、第２シート材３０ｂは、表面フィルム層３１が第１シート材３０ａに対向し、剥離フィルム層３３が容器本体１０の壁面に対向するように配されている。
【００３２】
そして、第２シート材３０ｂも、第１シート材３０ａと同様に、芳香フィルム層３２に付与された香料が、表面フィルム層３１の複数の孔部３１２から徐々に放出可能に構成されており、剥離フィルム層３３により、容器本体１０の壁面に対して剥離可能に貼着される。
【００３３】
次に、家庭用薄葉紙収納容器１００の作用について説明する。
上記した構成の家庭用薄葉紙収納容器１００では、使用開始前、蓋部２０が閉じられた状態で、芳香シート４０から徐々に香りが放出される。
具体的には、芳香シート４０の第１シート材３０ａにおいて、芳香フィルム層３２に付与された香料が、表面フィルム層３１の複数の孔部３１２から徐々に放出される。
これにより、家庭用薄葉紙収納容器１００に収納される家庭用薄葉紙Ｐに、徐々に香りが付与されることとなる。
よって、使用時に部屋に香りが充満することなく、家庭用薄葉紙収納容器１００の内部においては大きな空気の出入りがないため、香りの持続性を向上させることができる。
【００３４】
また、上記した構成の家庭用薄葉紙収納容器１００では、使用開始後、蓋部２０が何度も開閉されるに従って、香りが薄まっていく。
その場合、図５に示すように、芳香シート４０の第１シート材３０ａを剥がし、第２シート材３０ｂを露出させる。
具体的には、第１シート材３０ａの剥離フィルム層３３を、第２シート材３０ｂの表面フィルム層３１から剥離させ、第１シート材３０ａを剥がすと共に第２シート材３０ｂを露出させる。
すると、芳香シート４０の第２シート材３０ｂにおいて、芳香フィルム層３２に付与された香料が、表面フィルム層３１の複数の孔部３１２から放出されることとなる。
これにより、芳香シート４０から放出させる香りの強さを持続させることができる。
また、芳香シート４０は、全てのシート材を使用した後、新たな芳香シート４０に貼り替えることができる。即ち、第２シート材３０ｂの剥離フィルム層３３を、容器本体１０の壁面から剥離させ、使用済みの第２シート材３０ｂを容器本体１０から除去した後、新たな芳香シート４０を容器本体１０の壁面に貼り付ける。
【００３５】
以上のように、本実施形態によれば、上部に開口部１０ａが設けられ、家庭用薄葉紙Ｐを内部に収納する容器本体１０と、開口部１０ａを開閉させる蓋部２０と、を備える家庭用薄葉紙収納容器１００であって、容器本体１０の前面部１０ｂ及び後面部１０ｃの内面には、２枚のシート材（第１シート材３０ａ及び第２シート材３０ｂ）が剥離可能に積層された芳香シート４０が備えられ、２枚のシート材の各々は、香料を揮散させる芳香フィルム層３２と、芳香フィルム層３２の表面側に配され、芳香フィルム層３２の香料を透過させる表面フィルム層３１と、芳香フィルム層３２の裏面側に配される剥離フィルム層３３と、を備える。
このため、使用開始後、蓋部２０が何度も開閉されるに従って香りが薄まった場合、芳香シート４０の第１シート材３０ａを剥離して、第２シート材３０ｂを露出させることができるので、使用開始から使用終了まで、継続的に安定した香りの強さを発現させることができる。
また、芳香シート４０が、対向する二箇所（容器本体１０の前面部１０ｂ及び後面部１０ｃ）に備えられているため、香りが容器全体に広がり、家庭用薄葉紙Ｐにムラなく香りを付与することができる。
【００３６】
また、本実施形態によれば、表面フィルム層３１は、基材３１１に複数の孔部３１２が形成されて成る。
このため、表面フィルム層３１で芳香フィルム層３２を保護しつつ、香料を徐々に揮散させることができる。
【００３７】
また、本実施形態によれば、家庭用薄葉紙Ｐには、水分が含有され、芳香フィルム層３２における香料は、水分と反応して溶解する物質にて包括されている。
このため、徐々に香料が揮散されることとなり、より香りの持続性を高めることができる。
【００３８】
なお、上記実施形態においては、芳香シート４０は、２枚のシート材（第１シート材３０ａ、第２シート材３０ｂ）からなる構成を例示して説明したが、３枚以上であっても良いのは勿論である。
【００３９】
また、上記実施形態においては、容器本体１０及び蓋部２０の内面のうち対向する二箇所（容器本体１０の前面部１０ｂ及び後面部１０ｃ）に芳香シート４０を備える構成を例示して説明したが、少なくとも一箇所に備えていれば良く、例えば、容器本体１０及び蓋部２０の内面のうち何れかの一面にのみ備える構成でも良いし、三面以上に備えても良い。
また、対向する二箇所として、容器本体１０の前面部１０ｂ及び後面部１０ｃを例示して説明したが、例えば、蓋部２０の上面部の内面と、容器本体１０の底部１０ｅに芳香シート４０を備える構成であっても良いし、一対の側面部１０ｄ，１０ｄに芳香シート４０を備える構成であっても良い。
【００４０】
また、複数枚のシート材（上記実施形態では、第１シート材３０ａ、第２シート材３０ｂ）における芳香フィルム層３２は、互いに異なる香料が付与されていることとしても良い。また、３枚以上のシート材を備えた場合、３つの芳香フィルム層３２のうち少なくとも一つを、他の芳香フィルム層３２と異なる香料が付与されたものとすることができる。
この場合には、シート材を剥離すると新たな香りは発せられるため、香りのバリエーションを楽しむことができることとなる。
さらに、シート材の中に、消臭機能を備えたものを加えることも可能である。
【００４１】
また、芳香シート４０は、香りつきのシート材を剥離可能に複数枚積層された構成であれば良く、シート材の構成は上記したものに限定されない。
また、家庭用薄葉紙収納容器１００の構成は、上記したものに限定されない。例えば、容器本体が有底円筒形のボトルタイプの容器や、蓋部がスライドするタイプの容器等で有っても良い。
また、家庭用薄葉紙Ｐは、水分を含有しないドライタイプのものであっても良い。
【符号の説明】
【００４２】
１０  容器本体
１０ａ  開口部
１０ｂ  前面部
１０ｃ  後面部
１０ｄ  側面部
１０ｅ  底部
１０ｆ  突部
１１  容器ヒンジ部
１２  溝部
１３  係合部
１４  挟持部
１５  係合解除部材
２０  蓋部
２１  蓋ヒンジ部
２２  周縁部
２３  係止部
２４  押上突起
Ｈ  ヒンジ機構部
４０  芳香シート（シート部）
３０  シート材
３０ａ  第１シート材
３０ｂ  第２シート材
３１  表面フィルム層
３１１  基材
３１２  孔部
３２  芳香フィルム層
３３  剥離フィルム層
Ｐ  家庭用薄葉紙
１００  家庭用薄葉紙収納容器
【図１】
2015067316.tif 000003
【図２】
2015067316.tif 000004
【図３】
2015067316.tif 000005
【図４】
2015067316.tif 000006
【図５】
2015067316.tif 000007